(57)【要約】【課題】表示品質が改善された液晶ディスプレイ（ＬＣＤ）の駆動装置および駆動方法を提供する。【解決手段】画素を受信し、フレーム周期中に画素値に従ってＬＣＤの画素を駆動する。フレーム周期はプレチャージ・フィールドと補償フィールドとに分割される。第一に、画素および基準値に従ってプレチャージ画素値が決定される。プレチャージ画素値に従って補償画素値が決定される。次に、プレチャージ画素値に従って、プレチャージ駆動電圧が決定される。その後、補償画素値に従って補償駆動電圧が決定される。最後に、プレチャージ・フィールドおよび補償フィールド中に、それぞれプレチャージ駆動電圧および補償駆動電圧に従って画素が駆動される。【選択図】図４
2004361943.tif 000002
【特許請求の範囲】
【請求項１】
画素値を受信し、プレチャージ・フィールドと補償フィールドとに分割されたフレーム周期中に前記画素値に従って液晶ディスプレイ（ＬＣＤ）の画素を駆動するＬＣＤ駆動方法であって、前記方法が、
前記画素値に従ってプレチャージ画素値を所定の第１の画素値または所定の第２の画素値に決定するステップと、
補償画素値を決定するステップと、
前記プレチャージ画素値および前記補償画素値に従って前記画素を駆動するステップと、を含み、前記ステップが、
前記プレチャージ画素値に従ってプレチャージ駆動電圧を決定するステップと、
前記補償画素値に従って補償駆動電圧を決定するステップと、
前記プレチャージ・フィールド中に前記プレチャージ駆動電圧に従って前記画素を駆動するステップと、
前記補償フィールド中に前記補償駆動電圧に従って前記画素を駆動するステップと、を含み、
前記駆動ステップにおいて、前記プレチャージ画素値および前記補償画素値に従って駆動された前記画素の明度が、前記画素値に従って駆動された場合の前記画素の明度とほぼ等しいことを特徴とする方法。
【請求項２】
前記プレチャージ・フィールドおよび前記補償フィールドのシーケンスが、前記フレーム周期の画素値に従って、または前のフレーム周期の前の画素値に従って動的に決定されることを特徴とする請求項１に記載の方法。
【請求項３】
前記プレチャージ画素値が、さらに、第１のオーバードライブ補償値に従って決定されることを特徴とする請求項１に記載の方法。
【請求項４】
前記第１のオーバードライブ補償値が、前記画素値および前の画素値に従って決定されることを特徴とする請求項３に記載の方法。
【請求項５】
前記第１のオーバードライブ補償値が、さらに、温度値に従って決定されることを特徴とする請求項４に記載の方法。
【請求項６】
前記第１のオーバードライブ補償値が、前記画素値および複数の前の画素値に従って決定されることを特徴とする請求項４に記載の方法。
【請求項７】
前記補償画素値が、さらに、第２のオーバードライブ補償値に従って決定されることを特徴とする請求項１に記載の方法。
【請求項８】
前記第２のオーバードライブ補償値が、前記画素値および前の画素値に従って決定されることを特徴とする請求項７に記載の方法。
【請求項９】
前記第２のオーバードライブ補償値が、さらに、温度値に従って決定されることを特徴とする請求項７に記載の方法。
【請求項１０】
前記第２のオーバードライブ補償値が、前記画素値および複数の前の画素値に従って決定されることを特徴とする請求項７に記載の方法。
【請求項１１】
前記プレチャージ画素値が、基準値に従って前記第１の画素値または前記第２の画素値に決定されることを特徴とする請求項１に記載の方法。
【請求項１２】
前記プレチャージ画素値または前記補償画素値の少なくとも一方がテーブルを参照することにより決定されることを特徴とする請求項１に記載の方法。
【請求項１３】
画素値を受信し、プレチャージ・フィールドと補償フィールドとに分割されたフレーム周期中に前記画素値に従って液晶ディスプレイ（ＬＣＤ）の画素を駆動するＬＣＤ駆動装置であって、前記駆動装置が、
第１の同期信号を受信し、それにより第２の同期信号を出力する第１の制御装置と、
前記画素値を受信し、プレチャージ画素値および補償画素値を決定し、前記第２の同期信号に従って前記プレチャージ画素値および前記補償画素値のうちの一方を選択的に出力する数学ユニットと、
一時的に記憶するために前記数学ユニットが使用するフレーム・メモリと、を備えることを特徴とする駆動装置。
【請求項１４】
前記数学ユニットが、
前記画素値を受信し、前記画素値に従って前記補償駆動電圧を出力する計算ユニットと、
前記画素値に従って前記プレチャージ駆動電圧を出力する拡張ユニットと、を備えることを特徴とする請求項１３に記載の駆動装置。
【請求項１５】
前記数学ユニットが、
前記画素値を受信し、前記画素値に従って前記補償駆動電圧を出力する計算ユニットと、
前記画素値に従ってしきい値を出力するしきい値ユニットと、
前記しきい値に従って前記プレチャージ駆動電圧を出力する拡張ユニットと、を備えることを特徴とする請求項１３に記載の駆動装置。
【請求項１６】
前記数学ユニットが、さらに、
オーバードライブ補償値を出力するオーバードライブ補償ユニットと、
前記画素値および前記オーバードライブ補償値に従って前記プレチャージ画素値および前記補償画素値を出力する計算および拡張ユニットと、を備えることを特徴とする請求項１３に記載の駆動装置。
【請求項１７】
温度値を出力する温度センサと、前記温度値に従って前記オーバードライブ補償値を出力する前記オーバードライブ補償ユニットとをさらに備えることを特徴とする請求項１６に記載の駆動装置。
【請求項１８】
前記数学ユニットが、さらに、
前記プレチャージ画素値および前記補償画素値を受信し、前記第２の同期信号に従って前記プレチャージ画素値および前記補償画素値のうちの一方を出力するマルチプレクサを備えることを特徴とする請求項１３に記載の駆動装置。
【請求項１９】
前記数学ユニットが、さらに、
所定のテーブルを参照することにより、前記画素値に従って前記プレチャージ画素値および前記補償画素値を出力する参照ユニットと、
前記プレチャージ画素値および前記補償画素値を受信し、前記第２の同期信号に従って前記プレチャージ画素値および前記補償画素値のうちの一方を出力するマルチプレクサと、を備えることを特徴とする請求項１３に記載の駆動装置。
【請求項２０】
前記フレーム周期中の前記画素の明度が、前記画素値に従って駆動された場合の前記画素の明度とほぼ同じであることを特徴とする請求項１３に記載の駆動装置。
【発明の詳細な説明】
【技術分野】
【０００１】
本発明は、概して、液晶ディスプレイ（ＬＣＤ）の駆動装置および駆動方法に関し、特に、表示品質が改善されたＬＣＤの駆動装置および駆動方法に関する。
【背景技術】
【０００２】
液晶ディスプレイ（ＬＣＤ）は、明るくて薄いという理由で広く使用されている。しかし、ＬＣＤは伝統的な陰極線（ＣＲＴ）モニタと比較すると応答速度が遅い。ＬＣＤは、動画像が表示されると残像を有する傾向があるが、ＣＲＴモニタにはそれがない。
ＣＲＴモニタがフレームを表示する方法をインパルス方式と呼ぶ。各画素は、各フレーム周期中に一瞬しか発光しない。図１はＣＲＴモニタの場合の１つの画素の明度ｌと時間ｔとの関係を示す。フレーム周期Ｔ１、Ｔ２およびＴ３におけるこの画素の画素値Ｄは、それぞれ３４、１００および３０になると想定される。パルス１１の照度は、画素値Ｄに従って制御される。現在のフレーム周期の明度は、インパルス方式の結果として次のフレーム周期の明度に影響を及ぼさず、したがって残像が存在せず、応答時間が短い。
【０００３】
ＬＣＤがフレームを表示する方法をホールド方式と呼ぶ。各画素値Ｄが１フレーム周期内で一定の光を発する。図２（Ａ）は、ＬＣＤにおける時間ｔと画素に印加された駆動電圧Ｖｄとの関係を示す。フレーム周期Ｔ１、Ｔ２およびＴ３における画素の画素値Ｄは、それぞれ３４、１００および３０になると想定される。フレーム周期Ｔ１、Ｔ２およびＴ３における駆動電圧Ｖｄは、それぞれ、この画素値Ｄに従って決定される。
【０００４】
図２（Ｂ）は、画素の明度Ｌと時間ｔとのグラフを示す。明度線２１は、図２（Ａ）の駆動電圧Ｖｄに従う画素の理想的明度である。現実には、液晶分子の応答速度は電界のそれより遅く、したがって画素が提示された明度に到達するための応答時間が必要である。明度線２２は、図２（Ａ）の駆動電圧Ｖｄに従う画素の実際の明度である。画質は、遅い応答によって生じる残像によって低下する。
【０００５】
以上の問題は、例えば、オーバードライブ方式によって改善することができる。表示される現在フレーム周期の画素値が以前のフレーム周期の画素値より大きい場合は、表示されるより大きい駆動電圧が画素に印加される。表示される現在フレーム周期の画素値が以前のフレーム周期の画素値より小さい場合は、表示されるより小さい駆動電圧が画素に印加される。
【０００６】
しかし、液晶分子がホールド方式のために印加駆動電圧に対して実時間で応答しても、ＬＣＤの表示品質はなおＣＲＴほど満足できるものではない。例えば、応答が図２（Ｂ）の明度線２１による実時間であると想定した場合、フレーム周期Ｔ３の開始時の画像が、人間の目にはフレーム周期Ｔ２の画像と重なって見える。したがって、応答の速度が遅いばかりでなく、ホールド方式もＬＣＤの表示品質を低下させる。
【発明の開示】
【発明が解決しようとする課題】
【０００７】
したがって、本発明の目的は、表示品質が改善された液晶ディスプレイ（ＬＣＤ）の駆動装置および駆動方法を提供することである。
【課題を解決するための手段】
【０００８】
本発明の目的は、液晶ディスプレイ（ＬＣＤ）を駆動する方法を提供することである。この方法は、画素値を受信し、プレチャージ・フィールドと補償フィールドとに分割されるフレーム周期の間、画素値に従ってＬＣＤの画素を駆動する。第一に、プレチャージ画素値は、画素値に従い所定の第１の画素値または所定の第２の画素値に決定される。次に、補償画素値を決定する。次に、プレチャージ画素値に従いプレチャージ駆動電圧を決定し、補償画素値に従い補償駆動電圧を決定する。次に、プレチャージ・フィールドではプレチャージ駆動電圧に従い画素を駆動し、補償フィールドでは補償駆動電圧に従い画素を駆動する。プレチャージ画素値および補償画素値に従い駆動された画素の明度は、画素値に従い駆動された場合の画素の明度とほぼ同じである。
【０００９】
本発明の他の目的は、液晶ディスプレイ（ＬＣＤ）駆動装置を提供することである。この装置は、画素値を受信し、プレチャージ・フィールドと補償フィールドとに分割されるフレーム周期の間、画素値に従ってＬＣＤの画素を駆動する。駆動装置はフィールド制御装置、数学ユニット、およびソース・ドライバを含む。フィールド制御装置は、第１の同期信号を受信し、それにより第２の同期信号を出力する。数学ユニットは画素値を受信し、プレチャージ画素値および補償画素値を決定し、第２の同期信号に従ってプレチャージ画素値および補償画素値のうち一方を選択的に出力する。ソース・ドライバは、それぞれプレチャージ画素値および補償画素値に従ってプレチャージ駆動電圧および補償駆動電圧を生成し、プレチャージ・フィールドではプレチャージ駆動電圧により画素を駆動し、補償フィールドでは補償駆動電圧により画素を駆動する。
【００１０】
本発明の他の目的、特徴および利点は、好適な、しかし本発明を限定するものではない実施形態の下記の詳細な説明を読めば明らかになるだろう。説明は添付の図面を参照しながら行う。
【発明を実施するための最良の形態】
【００１１】
液晶分子の応答速度は、液晶分子の現在の状態およびターゲット状態に関連する。図３（Ａ）は、液晶分子が最短応答時間を有する状況を示す。画素値Ｇが最小画素値Ｇｍｉｎから最大画素値Ｇｍａｘまで上昇するか、最大画素値Ｇｍａｘから最小画素値Ｇｍｉｎまで減少すると、液晶分子は最短応答時間を有する。
【００１２】
図３（Ｂ）は、液晶分子が中間応答時間を有する状況を示す。画素値Ｇが最小画素値Ｇｍｉｎから中間画素値まで、または中間画素値から最大画素値Ｇｍａｘまで上昇するか、最大画素値Ｇｍａｘから中間画素値まで、または最大画素値Ｇｍａｘから中間画素値まで低下すると、液晶分子は中間応答時間を有する。
【００１３】
図３（Ｃ）は、液晶分子が最長応答時間を有する状況を示す。画素値Ｇが１つの中間画素値から他の中間画素値に変化すると、液晶分子は最長応答時間を有する。図３（Ｃ）の状況は、表示品質を向上させるために回避しなければならない。
【００１４】
以下の実施形態の場合には、ＬＣＤのリフレッシュ速度を６０Ｈｚと仮定し、解像度を８００×６００と仮定する。従来の液晶ディスプレイ（ＬＣＤ）の表示プロセスは、垂直同期信号Ｖｓおよび水平同期信号Ｈｓによって制御される。６０Ｈｚの周波数（ｆ（Ｖｓ）とする）を有する垂直同期信号Ｖｓに従うと、１秒に６０フレームが表示され、従って対応するフレーム周期は１／６０＝１６．７ｍｓである。各フレームは６００本の行を有し、これはＨｓ信号の制御によって規則的に走査され、したがってＨｓ信号の周波数は、ｆ（Ｈｓ）＝６００＊ｆ（Ｖｓ）＝３６，０００Ｈｚである。各行は８００ポイントを有し、各ポイントは赤、青および緑の画素を含む。したがって各行は８００＊３＝２４００画素を有する。ＬＣＤへの画素ビット・ストリームの入力を制御する画素クロック信号Ｃｐの周波数は、ｆ（Ｃｐ）＝２４００＊ｆ（Ｈｓ）＝８６，４００，０００Ｈｚである。画素値は８ビット、０乃至２５５グレー・レベルを有すると想定され、対応する駆動電圧は０乃至５Ｖである。画素値と駆動電圧との関係は、必ずしも直線ではなく、例えば、テーブルを参照することにより獲得される。
【００１５】
図４（Ａ）は、本発明の第１の実施形態によるＬＣＤの駆動方法の駆動電圧を示す。フレーム周期Ｔ１、Ｔ２およびＴ３の画素値Ｄは、それぞれ３０、２００および３０と推定される。従来の駆動方法では、フレーム周期Ｔ１、Ｔ２およびＴ３の対応する駆動電圧は、例えば図４（Ａ）の点線３１で示すように０．６Ｖ、４Ｖおよび０．６Ｖである。しかし、従来の方法は応答時間が長いという欠点を有する。
【００１６】
本発明の第１の実施形態では、フレーム周期が補償フィールドＣと補償フィールドの前にあるプレチャージ・フィールドＰとに分割されている。プレチャージ・フィールドＰのプレチャージ画素値は、例えば、第１の実施形態の最大画素値である所定の高い画素値Ｇｍａｘか、例えば第１の実施形態の最小画素値である所定の低い画素値Ｇｍｉｎである。補償フィールドに対応する補償画素値は、画素値およびプレチャージ画素値に従い決定される。第１の実施形態の場合には、画素値は、プレチャージ・フィールドＰとそれに対応する補償フィールドＣとのほぼ平均である。
【００１７】
フレーム周期Ｔ１は、プレチャージ・フィールドＰ１と補償フィールドＣ１とに分割され、フレーム周期Ｔ２はプレチャージ・フィールドＰ２と補償フィールドＣ２とに分割され、フレーム周期Ｔ３はプレチャージ・フィールドＰ３と補償フィールドＣ３とに分割される。
【００１８】
第一に、プレチャージ・フィールドＰのプレチャージ画素値を決定する。フレーム周期の画素値が基準値より大きい場合は、プレチャージ画素値が所定の高い画素値Ｇｍａｘになる。フレーム周期の画素値が基準値より小さい場合は、プレチャージ画素値が所定の低い画素値Ｇｍｉｎになる。基準値は、ＬＣＤの特性に従って調節される。ここでは、基準値を１２８と推定する。
【００１９】
フレーム周期Ｔ１の画素値は３０であり、１２８という基準値より小さいので、プレチャージ・フィールドＰ１のプレチャージ画素値は０という所定の低い画素値Ｇｍｉｎとなる。したがって、補償フィールドＣ１の補償画素値は６０に決定され、したがって補償画素値とプレチャージ画素値との平均は、ほぼフレーム周期Ｔ１の画素値である。
【００２０】
フレーム周期Ｔ２の画素値は２００であり、１２８という基準値より大きいので、プレチャージ・フィールドＰ２のプレチャージ画素値は２５５という所定の高い画素値Ｇｍａｘである。補償フィールドＣ２の補償画素値は、したがって１４５に決定され、したがって２００であるフレーム周期Ｔ２の画素値は、プレチャージ・フィールドＰ２のプレチャージ画素値と補償フィールドＣ２の補償画素値との平均である。
【００２１】
フレーム周期Ｔ３の画素値は３０であり、１２８という基準値より小さいので、プレチャージ・フィールドＰ３のプレチャージ画素値は、０という所定の低い画素値Ｇｍｉｎに決定される。補償フィールドＣ３の補償画素値は、したがって６０に決定され、したがって３０というフレーム周期Ｔ３の画素値は、プレチャージ・フィールドＰ３のプレチャージ画素値と補償フィールドＣ３の補償画素値との平均である。
【００２２】
駆動電圧は、プレチャージ画素値および補償画素値に従って、例えば、テーブルを参照することにより決定される。この実施形態の各フィールドの駆動電圧は、図４（Ａ）で示すように０Ｖ、１．２Ｖ、５Ｖ、２．８Ｖ、０Ｖ、１．２Ｖである。
【００２３】
図４（Ｂ）は、図４（Ａ）の駆動電圧を印加した画素の明度を示す。点線は画素の理想明度を表し、実線は画素の現実の明度を表す。例えば、フレーム周期Ｔ２を考えてみる。画素の明度は、プレチャージ・フィールドＰ２の間に最大まで上昇する。この実施形態の上昇時間は、この実施形態の駆動電圧が従来の駆動電圧より大きい結果、従来の方法の上昇時間より短い。画素の明度は、補償フィールドＣ２の間に下降し始める。この実施形態の下降時間は、この実施形態の駆動電圧が従来の駆動電圧より小さいので、従来の方法の下降時間より短い。さらに、フレーム周期Ｔ２の明度の曲線は、インパルス方式のディスプレイに類似し、したがって残像の効果が減少する。さらに、図３（Ｃ）で示すような長い応答時間の状況は、所定の高いまたは低い画素値から中間画素値に近づくか、中間画素値から開始して所定の高いまたは低い画素値にすることにより防止される。
【００２４】
所定の高いまたは低い画素値は、必ずしも最大または最小画素値でなく、ＬＣＤの特性に依存する。
例えばフレーム周期Ｔ２を考えてみる。プレチャージ・フィールドＰ２および補償フィールドＣ２の明度の結果であるフレーム周期Ｔ２の明度は、画素を従来の方法で駆動した場合の明度とほぼ等しい。
【００２５】
図５（Ａ）は、ＬＣＤの他の駆動方法の駆動電圧を示し、ここで補償フィールドはプレチャージ・フィールドに先行する。フレーム周期Ｔ１、Ｔ２およびＴ３の画素値Ｄは、それぞれ３０、２００および３０であると想定する。
フレーム周期Ｔ１を補償フィールドＣ１とプレチャージ・フィールドＰ１とに分割し、フレーム周期Ｔ２をプレチャージ・フィールドＰ２と補償フィールドＣ２とに分割し、フレーム周期Ｔ３をプレチャージ・フィールドＰ３と補償フィールドＣ３とに分割する。
【００２６】
フレーム周期Ｔ１の画素値は３０であり、１２８という基準値より小さいので、プレチャージ・フィールドＰ１のプレチャージ画素値は０という所定の低い画素値Ｇｍｉｎに決定される。補償フィールドＣ１の補償画素値は、それに応じて６０に決定され、したがって３０であるフレーム周期Ｔ１の画素値は、プレチャージ・フィールドＰ１のプレチャージ画素値と補償フィールドＣ１の補償画素値との平均である。
【００２７】
フレーム周期Ｔ２の画素値は２００であり、１２８という基準値より大きいので、プレチャージ・フィールドＰ２のプレチャージ画素値は２５５という所定の高い画素値Ｇｍａｘに決定される。補償フィールドＣ２の補償画素値は、これによって１４５に決定され、したがって２００であるフレーム周期Ｔ２の画素値は、プレチャージ・フィールドＰ２のプレチャージ画素値と補償フィールドＣ２の補償画素値との平均である。
【００２８】
フレーム周期Ｔ３の画素値は３０であり、１２８という基準値より小さいので、プレチャージ・フィールドＰ３のプレチャージ画素値は、０という所定の低い画素値Ｇｍｉｎに決定される。補償フィールドＣ３の補償画素値は、これによって６０に決定され、したがって３０であるフレーム周期Ｔ３の画素値は、プレチャージ・フィールドＰ３のプレチャージ画素値と補償フィールドＣ３の補償画素値との平均である。
駆動電圧は、プレチャージ画素値および補償画素値に従って、例えば、テーブルを参照することにより決定される。この実施形態の各フィールドの駆動電圧は、図５（Ａ）で示すように１．２Ｖ、０Ｖ、２．８Ｖ、５Ｖ、１．２Ｖおよび０Ｖである。
【００２９】
図５（Ｂ）は、図５（Ａ）の駆動電圧を印加した画素の明度を示す。点線は画素の理想明度を表し、実線は画素の現実の明度を表す。図３（Ｃ）で示すような最長応答時間の状況は、この実施形態の場合には、所定の高いまたは低い画素値から中間画素値に近づくか、中間画素値から開始して所定の高いまたは低い画素値にすることにより回避される。
【００３０】
図６は、本発明の第２の実施形態によるＬＣＤ駆動装置のブロック図である。駆動装置５００は、フレーム・メモリ５１０、数学ユニット、およびフィールド制御装置５５０を含む。数学ユニットはしきい値ユニット５２０、計算ユニット５３０、拡張ユニット５４０、およびマルチプレクサ５６０を含む。ＬＣＤ駆動装置５００は画素値Ｄを受信して、プレチャージ画素値または補償画素値である駆動値Ｄｖを出力する。次に、ソース・ドライバ５７０はこれにより駆動電圧Ｖｄを出力してＬＣＤを駆動する。
【００３１】
例えば、毎秒６０のフレームが表示される６０Ｈｚのリフレッシュ速度を有するＬＣＤを考えてみる。画素値Ｄを、上記画素クロック信号Ｃｐに従ってＬＣＤ駆動装置５００に入力する。ＬＣＤ駆動装置５００は、画素クロック信号Ｃｐ’に従って駆動値Ｄｖを出力し、その周波数は、１フレーム周期を補償フィールドとプレチャージ・フィールドとに分割するので、画素クロック信号Ｃｐの２倍である。
【００３２】
第一に、ＬＣＤ駆動装置５００が画素値Ｄを受信して、画素値Ｄをフレーム・メモリ５１０にセーブし、画素値Ｄをしきい値ユニット５２０に送信する。しきい値ユニット５２０は画素値Ｄを基準値と比較し、画素値Ｄが基準値より大きい場合は、しきい値ユニット５２０からのしきい値が第１の値となって、フレーム・メモリ５１０にセーブされ、そうでない場合は、第２の値となって、フレーム・メモリ５１０にセーブされる。
【００３３】
次に、計算ユニット５３０が、画素値Ｄおよびフレーム・メモリ５１０からのしきい値に従って補償画素値を出力する。しきい値が第２の値である場合は、画素値Ｄの２倍に従って補償駆動電圧を決定する。そうでない場合は、画素値Ｄの２倍から所定の高い画素値を引いた結果に従って補償電圧を決定する。
【００３４】
拡張ユニット５４０は、フレーム・メモリ５１０からしきい値を受信して、プレチャージ画素値を出力する。しきい値が第１の値である場合は、プレチャージ画素値が所定の高い画素値となり、そうでない場合は、所定の低い画素値となる。フィールド制御装置５５０は、マルチプレクサ５６０を制御して、第１の同期信号Ｆｓｙｎｃから得た第２の同期信号に従ってプレチャージ画素値または補償画素値を出力する。プレチャージ・フィールドと補償フィールドのシーケンスは、フィールド制御装置５５０によって決定される。
【００３５】
図７は、本発明の第３の実施形態によるＬＣＤ駆動装置のブロック図である。ＬＣＤ駆動装置６００はフレーム・メモリ６１０、数学ユニット、およびフィールド制御装置６５０を含む。数学ユニットはしきい値ユニット６２０、計算ユニット６３０、拡張ユニット６４０およびマルチプレクサ６６０を含む。ＬＣＤ駆動装置６００は画素値Ｄを受信して、プレチャージ画素値または補償画素値である駆動値Ｄｖを出力し、それによりソース・ドライバ６７０が駆動電圧Ｖｄを出力してＬＣＤを駆動する。
【００３６】
例えば、毎秒６０のフレームを表示する６０Ｈｚのリフレッシュ速度を有するＬＣＤを考えてみる。画素クロック信号Ｃｐに従って画素値ＤをＬＣＤ駆動装置６００に入力する。ＬＣＤ駆動装置６００は、画素クロック信号Ｃｐ’に従って駆動電圧Ｖｄを出力し、その周波数は、１フレーム周期を補償フィールドとプレチャージ・フィールドとに分割するので、画素クロック信号Ｃｐの２倍である。
【００３７】
第一に、駆動装置６００が画素値Ｄを受信して、画素値Ｄをフレーム・メモリ６１０にセーブする。しきい値ユニット６２０は画素値Ｄを基準値と比較し、画素値Ｄが基準値より大きい場合は、しきい値ユニット６２０からのしきい値が第１の値となり、そうでない場合は、第２の値となる。
【００３８】
次に、計算ユニット６３０が、画素値Ｄおよびしきい値に従って補償画素値を出力し、しきい値が第２の値である場合は、補償画素値が画素値Ｄの２倍に従って決定される。そうでない場合は、画素値Ｄの２倍から所定の高い画素値を引いた結果に従って補償画素値が決定される。
【００３９】
拡張ユニット６４０は、しきい値を受信して、プレチャージ画素値を出力する。しきい値が第１の値である場合は、プレチャージ画素値が所定の高い画素値となり、そうでない場合は、低い画素値となる。フィールド制御装置６５０は、マルチプレクサ６６０を制御して、第１の同期信号Ｆｓｙｎｃに従ってプレチャージ画素値または補償画素値を出力する。フィールド制御装置６５０が、プレチャージ・フィールドと補償フィールドのシーケンスを決定する。
【００４０】
図８は、本発明の第４の実施形態によるＬＣＤ駆動装置のブロック図である。駆動装置７００はフレーム・メモリ７１０、数学ユニット、およびフィールド制御装置７５０を含む。数学ユニットはしきい値ユニット７２０、計算ユニット７３０、拡張ユニット７４０およびマルチプレクサ７６０を含む。ＬＣＤ駆動装置７００は画素値Ｄを受信し、それによりソース・ドライバ７７０が駆動電圧Ｖｄを出力する。
【００４１】
例えば、毎秒６０フレームを表示する６０Ｈｚのリフレッシュ速度を考えてみる。画素クロック信号Ｃｐに従って画素値ＤがＬＣＤ駆動装置７００に入力される。ＬＣＤ駆動装置７００は、画素クロック信号Ｃｐ’に従って駆動電圧Ｖｄを出力し、その周波数は、１フレーム周期を補償フィールドとプレチャージ・フィールドとに分割するので、画素クロック信号Ｃｐの２倍である。
【００４２】
第一に、ＬＣＤ駆動装置７００が画素値Ｄを受信して、画素値Ｄをフレーム・メモリ７１０にセーブする。フレーム・メモリ７１０が、セーブされている画素値Ｄおよび前のフレーム周期のしきい値も出力する。しきい値ユニット７２０は受信した画素値Ｄを基準値と比較する。画素値Ｄが基準値より大きい場合は、しきい値ユニット７２０からのしきい値が第１の値となり、フレーム・メモリ７１０にセーブされる。そうでない場合は、第２の値となる。
【００４３】
計算ユニット７３０は、以前のフレーム周期の画素値Ｄおよびしきい値に従って補償画素値を出力する。画素値が基準値より大きくない場合は、補償画素値が画素値Ｄの２倍に従って決定される。そうでない場合は、画素値Ｄの２倍から所定の高い画素値を引いた結果に従って補償電圧が決定される。
【００４４】
次に、計算ユニット７３０は、以前のフレーム周期のしきい値に従ってオーバードライブ方式を決定する。以前のフレーム周期のしきい値が第１の値である場合は、所定の高い画素値が以前のフレーム周期のプレチャージ・フィールドで提供される。したがって、応答速度を上げるためのオーバードライブ方式は、現在フレーム周期の補償画素値を減少させる。以前のフレーム周期のしきい値が第２の値である場合は、最小画素が以前のフレーム周期のプレチャージ・フィールドで提供される。したがって、応答速度を上げるためのオーバードライブ方式は、現在フレーム周期の補償駆動電圧を増加させる。
【００４５】
拡張ユニット７４０が、しきい値を受信して、プレチャージ画素値を出力する。しきい値が第１の値である場合は、プレチャージ画素値が所定の高い画素値となる。そうでない場合は、所定の低い画素値となる。フィールド制御装置７５０は、マルチプレクサ７６０を制御して、第１の同期信号Ｆｓｙｎｃに従ってプレチャージ画素値または補償画素値を出力する。
【００４６】
図９は、本発明の第５の実施形態によるＬＣＤ駆動装置のブロック図である。第５の実施形態の場合には、第４の実施形態と比較すると、プレチャージ・フィールドは補償フィールドの前にある。駆動装置８００はフレーム・メモリ８１０、数学ユニット、およびフィールド制御装置８５０を含む。数学ユニットはしきい値ユニット８２０、計算ユニット８３０、拡張ユニット８４０およびマルチプレクサ８６０を含む。ＬＣＤ駆動装置８００は画素値Ｄを受信し、駆動値Ｄｖを出力して、それによりソース・ドライバ８７０が駆動電圧Ｖｄを出力する。
【００４７】
例えば、毎秒６０フレームを表示する６０Ｈｚのリフレッシュ速度を有するＬＣＤを考えてみる。上記画素クロック信号Ｃｐに従って画素値ＤがＬＣＤ駆動装置８００に入力される。ＬＣＤ駆動装置８００は、画素クロック信号Ｃｐ’に従って駆動電圧Ｖｄを出力し、その周波数は、１フレーム周期をプレチャージ・フィールドと補償フィールドとに分割するので、画素クロック信号Ｃｐの２倍である。
【００４８】
第一に、駆動装置８００が画素値Ｄを受信して、画素値Ｄを計算ユニット８３０およびしきい値ユニット８２０に配布する。しきい値ユニット８２０は受信した画素値Ｄを基準値と比較する。画素値Ｄが基準値より大きい場合は、しきい値ユニット８２０から出力されたしきい値が第１の値となり、計算ユニット８３０およびフレーム・メモリ８１０に配布される。そうでない場合は、第２の値となる。
【００４９】
次に、計算ユニット８３０が、画素値Ｄおよびフレーム・メモリ８１０からのしきい値に従って補償駆動電圧を出力する。しきい値が第２の値の場合は、補償画素値が画素値Ｄの２倍に従って決定される。そうでない場合は、画素値Ｄの２倍から所定の高い画素値を引いた結果に従って補償画素値が決定される。
【００５０】
次に、計算ユニット８３０は、しきい値に従ってオーバードライブ方式を決定する。しきい値が第１の値である場合は、所定の高い画素値がプレチャージ・フィールドで提供される。したがって、液晶分子の応答速度を上げるためのオーバードライブ方式は、現在フレーム周期の補償画素値を減少させる。以前のフレーム周期のしきい値が第２の値である場合は、所定の低い画素値がプレチャージ・フィールドで提供される。したがって、液晶分子の応答速度を上げるためのオーバードライブ方式は、現在フレーム周期の補償画素値を増加させる。
【００５１】
次に、計算ユニット８３０が補償画素値をフレーム・メモリ８１０にセーブする。フレーム・メモリ８１０はセーブした補償画素値をマルチプレクサ８６０に出力し、しきい値を拡張ユニット８４０に出力する。
拡張ユニット８４０は、しきい値を受信して、しきい値に従ってプレチャージ画素値を出力する。しきい値が第１の値である場合は、プレチャージ画素値が所定の高い画素値となる。そうでない場合は、低い画素値となる。フィールド制御装置８５０は、マルチプレクサ８６０を制御して、第１の同期信号Ｆｓｙｎｃに従ってプレチャージ画素値または補償画素値を出力する。
【００５２】
本発明の第２、第３、第４および第５の実施形態のフレーム・メモリは、全フレームの画素をセーブする。Ｖｓ信号およびＨｓ信号の周波数は、１フレーム周期でプレチャージ・フィールドおよび補償フィールドに対応する２つの画素値を表示する際に、２倍にする。したがって、Ｖｓ’信号はＶｓ信号の周波数の２倍であり、Ｈｓ’信号はＨｓ信号の周波数の２倍である。本発明の第２、第３、第４および第５の実施形態の場合には、第１のフィールドの全画素の画素値は、１／１２０秒であるＶｓ’信号の周期中に規則的に表示される。次に、第２のフィールドの全画素の画素値は、１／１２０秒であるＶｓ’信号の次の周期で規則的に表示される。
【００５３】
図１０は、本発明の第６の実施形態によるＬＣＤ駆動装置のブロック図である。ＬＣＤ駆動装置９００はフレーム・メモリ９１０、数学ユニットおよびフィールド制御装置９５０を含む。数学ユニットはしきい値ユニット９２０、計算ユニット９３０、拡張ユニット９４０およびマルチプレクサ９６０を含む。ＬＣＤ駆動装置９００は画素値Ｄを受信し、駆動値を出力し、それによりソース・ドライバ９７０が駆動電圧Ｖｄを出力する。
【００５４】
例えば、毎秒６０のフレームを表示する６０Ｈｚのリフレッシュ速度を有するＬＣＤを考えてみる。画素クロック信号Ｃｐに従って画素値ＤがＬＣＤ駆動装置９００に入力される。ＬＣＤ駆動装置９００は、画素クロック信号Ｃｐ’に従って駆動電圧Ｖｄを出力し、その周波数は、１フレーム周期をプレチャージ・フィールドと補償フィールドとに分割するので、画素クロック信号Ｃｐの２倍である。
【００５５】
第一に、ＬＣＤ駆動装置９００が画素値Ｄを受信し、画素値Ｄを計算ユニット９３０およびしきい値ユニット９２０に配布する。しきい値ユニット９２０は受信した画素値Ｄを基準値と比較する。画素値Ｄが基準値より大きい場合は、しきい値ユニット９２０から出力されたしきい値が第１の値となり、フレーム・メモリ９１０に配布される。そうでない場合は、第２の値となる。フレーム・メモリ９１０はしきい値を計算ユニット９３０および拡張ユニット９４０に出力する。
【００５６】
次に、計算ユニット９３０が、画素値Ｄおよびフレーム・メモリ９１０からのしきい値に従って補償駆動電圧を出力する。しきい値が第２の値の場合は、補償画素値が画素値Ｄの２倍に従って決定される。そうでない場合は、画素値Ｄの２倍から所定の高い画素値を引いた結果に従って補償画素値が決定される。
【００５７】
拡張ユニット９４０は、しきい値を受信し、しきい値に従ってプレチャージ画素値を出力する。しきい値が第１の値である場合は、プレチャージ画素値が所定の高い画素値となる。そうでない場合は、所定の低い画素値となる。フィールド制御装置９５０は、マルチプレクサ８６０を制御して、第１の同期信号Ｆｓｙｎｃに従ってプレチャージ画素値または補償画素値を出力する。
【００５８】
本発明の第２、第３、第４および第５の実施形態の場合には、全画像の画素はフレーム・メモリによってセーブされる。しかし、各画素のしきい値は、１ビットしか有さず、第６の実施形態に従ってフレーム・メモリ９１０によってセーブされる。したがって、第６の実施形態は、ＬＣＤ駆動装置９００が必要とする必要メモリを効率的に減少させることができる。
【００５９】
第６の実施形態の場合には、別の走査方法が必要となる。全ての画像の画素がフレーム・メモリ９１０によってセーブされるわけではなく、各画素が出力のために瞬時処理されるからである。図１１（Ａ）および（Ｂ）は、第６の実施形態によるｎ番目のフレーム周期の走査プロセスを示す。例えば、補償フィールドがプレチャージ・フィールドより前にあると考えてみる。Ｈｓ’信号の周波数はＨｓ信号の周波数の２倍である。Ｖｓ’信号の周波数はＶｓ信号と同じである。
【００６０】
画素値のビット・ストリームが、画素クロック信号Ｃｐに従ってＬＣＤ駆動装置に入力される。１フレームの画素値は１／６０秒で完全に入力され、１行の画素はＨｓ’信号の２サイクルで完全に入力される。第６の実施形態の場合には、１行の画素値を受信した場合に画素値をセーブするメモリがないので、画素が瞬時処理され、表示される。フレームは上部分と下部分とに分割され、それぞれ行１乃至３００および行３０１乃至６００に対応する。
【００６１】
図１１（Ａ）は、ｎ番目のフレームの上部分の画素値を受信中の走査プロセスを示し、この場合、まず最初のＨｓ’信号の第１のサイクルはＨｓ’（０）である。各行の画素値は、Ｈｓ’（０）、Ｈｓ’（２）、Ｈｓ’（４）など、各偶数サイクルで入力される。Ｈｓ’（０）では、第１行の画素値が入力され、ｎ番目のフレームの第１行の補償画素値Ｃ１（ｎ）が表示される。第１行の各画素のしきい値がフレーム・メモリにセーブされる。
【００６２】
Ｈｓ’（１）では、上部分の第２行の画素値がまだ入力されず、したがって第３０１行、すなわち、下部分の第１行の（ｎ−１）番目のフレームの画素に対応するプレチャージ画素値Ｐ３０１（ｎ−１）が表示される。プレチャージ画素値Ｐ３０１（ｎ−１）がフレーム・メモリにセーブされたしきい値に従って決定される。
【００６３】
Ｈｓ’（２）では、上部分の第２行の画素値が入力される。第２行の各画素に対応するプレチャージ画素値Ｃ２（ｎ）が表示される。第２行の各画素値に対応するしきい値がフレーム・メモリにセーブされる。
【００６４】
Ｈｓ’（３）では、上部分の第３行の画素値がまだ入力されていない。第３０２行、すなわち、下部分の第２行の（ｎ−１）番目のフレームの画素に対応するプレチャージ画素値Ｐ３０２（ｎ−１）が表示される。プレチャージ画素値Ｐ３０２（ｎ−１）が、フレーム・メモリにセーブしたしきい値に従って決定される。
以降は類推によって推論される。Ｈｓ’（５９９）まで、下部分の第（ｎ−１）番目のフレームに対応するプレチャージ画素値および上部分のｎ番目のフレームに対応するプレチャージ画素値が表示されている。
【００６５】
図１１（Ｂ）は、ｎ番目のフレームの下部分の画素値を受信中の走査プロセスを示す。Ｈｓ’（６００）では、第３０１行の画素値が入力され、第３０１行の補償画素値Ｃ３０１（ｎ）が表示される。第３０１行の画素のしきい値がフレーム・メモリにセーブされる。
Ｈｓ’（６０１）では、下部分の第３０２行の画素値がまだ入力されていない。ｎ番目のフレームの第１行のｎ番目のフレームの画素に対応するプレチャージ画素値Ｐ１（ｎ）が表示される。プレチャージ画素値Ｐ１（ｎ）が、フレーム・メモリにセーブしたしきい値に従って決定される。
【００６６】
Ｈｓ’（６０２）では、第３０２行の画素値が入力される。第３０２行の画素に対応するプレチャージ画素値Ｃ３０２（ｎ）が表示される。第３０２行の画素に対応するしきい値がフレーム・メモリにセーブされる。
Ｈｓ’（６０３）では、第３０３行の画素値がまだ入力されていない。第２行のｎ番目のフレームの画素に対応するプレチャージ画素値Ｐ２（ｎ）が表示される。
【００６７】
以降は類推によって推論される。Ｈｓ’（１１９９）まで、ｎ番目のフレームの下部分に対応するプレチャージ画素値およびｎ番目のフレームの上部分に対応するプレチャージ画素値が表示されている。したがって、Ｖｓ信号の１周期で１フレームを完全に表示することができる。
【００６８】
図１２は、本発明の第７の実施形態によるＬＣＤの駆動方法の駆動電圧を示す。フレーム周期Ｔ１、Ｔ２およびＴ３の画素値Ｄは、それぞれ３０、２００および３０と想定される。この実施形態の場合には、プレチャージ・フィールドは補償フィールドより前にある。補償画素値およびプレチャージ画素値は、オーバードライブのためにさらに補償される。プレチャージ画素値は第１の画素値または第２の画素値、例えば、それぞれ５および２４０である。補償画素値は、フレーム周期の明度が、従来の方法の画素値で駆動される明度とほぼ同じであるように計算される。補償画素値とプレチャージ画素値との平均は、この実施形態の画素値とほぼ等しい。
【００６９】
第一に、第１の実施形態の方法によりフレーム周期のプレチャージ画素値および補償画素値を計算する。フレーム周期Ｔ１の画素値は３０であり、１２８という基準値より小さく、したがってプレチャージ・フィールドＰ１のプレチャージ画素値は第２の画素値であり、これはこの実施形態の場合には、５である。したがって補償フィールドＣ１の補償画素値が５５に決定される。フレーム周期Ｔ２の画素値は２００であり、１２８という基準値より大きく、したがってプレチャージ・フィールドＰ２のプレチャージ画素値が第１の画素値になり、これはこの実施形態の場合には、２４０である。したがって、補償フィールドＣ２の補償画素値が１６０に決定される。フレーム周期Ｔ３の画素値は３０であり、１２８という基準値より小さく、したがってプレチャージ・フィールドＰ３のプレチャージ画素値が第２の画素値となり、これはこの実施形態の場合には、５である。したがって、補償フィールドＣ３の補償画素値が５５に決定される。
【００７０】
次に、オーバードライブ補償値を決定する。フレーム周期Ｔ２の画素値は２００であり、以前のフレーム周期Ｔ１のそれより大きく、したがってプレチャージ・フィールドＰ２のプレチャージ画素値がオーバードライブ補償値Δ１に追加され、補償フィールドＣ２の補償画素値が、液晶分子の応答速度を上げるためのオーバードライブ補償値Δ２に追加される。オーバードライブ補償値Δ１およびΔ２は、例えば、それぞれ１０および２である。
【００７１】
オーバードライブ補償値は、現在フレーム周期の画素値および前フレーム周期の画素値に従って決定することができる。最善のオーバードライブ補償値を求めるために、ＬＣＤの特性に従ってテーブルを確立することができる。
【００７２】
この実施形態の場合には、プレチャージ画素値と補償画素値との両方をオーバードライブ方式で補償するか、その一方のみをオーバードライブ方式で補償する。また、オーバードライブ補償値は、前フレーム周期、前プレチャージ・フィールド、または前補償フィールドの画素値に従って決定することができる。
さらに、プレチャージ・フィールドおよび補償フィールドのシーケンスは、例えば各フィールドの画素値に従って動的に置き換えることができる。
【００７３】
図１３は、本発明の第８の実施形態によるＬＣＤ駆動装置のブロック図を示す。駆動装置１０００はフレーム・メモリ１０１０、数学ユニットおよびフィールド制御装置１０５０を含む。数学ユニットはオーバードライブ補償ユニット１０２０、温度センサ１０２３、計算および拡張ユニット１０３０、およびマルチプレクサ１０６０を含む。ＬＣＤ駆動装置１０００は画素値Ｄを受信して、プレチャージ画素値または補償画素値である駆動値Ｄｖを出力する。次に、ソース・ドライバ１０７０がこれによって駆動電圧Ｖｄを出力し、ＬＣＤを駆動する。
【００７４】
ＬＣＤ駆動装置１０００は画素値Ｄを受信し、フレーム・メモリ１０１０に画素値Ｄをセーブする。次に、計算および拡張ユニット１０３０が、画素値Ｄおよびオーバードライブ補償ユニット１０２０からのオーバードライブ補償値に従って補償画素値およびプレチャージ画素値を出力する。プレチャージ画素値および補償画素値はフレーム・メモリ１０１０にセーブされて、後にオーバードライブ補償ユニット１０２０および計算および拡張ユニット１０３０によって使用され、マルチプレクサ１０６０に出力される。オーバードライブ補償ユニット１０２０は、画素値Ｄ、プレチャージ画素値、補償画素値、または温度センサ１０２３が出力する温度値に従ってオーバードライブ補償値を出力する。温度センサ１０２３は、この実施形態の必要な要素ではないが、オーバードライブ補償ユニット１０２０の性能を向上させることができる。
フィールド制御装置１０５０はマルチプレクサ１０６０を制御して、第１の同期信号Ｆｓｙｎｃから得た第２の同期信号に従ってプレチャージ画素値または補償画素値を出力する。
【００７５】
図１４は、本発明の第９の実施形態によるＬＣＤ駆動装置のブロック図である。駆動装置１１００はフレーム・メモリ１１１０、数学ユニットおよびフィールド制御装置１１５０を含む。数学ユニットは、オーバードライブ補償ユニット１１２２、計算および拡張ユニット１１３０、およびマルチプレクサ１１６０を含む。ＬＣＤ駆動装置１１００は画素値Ｄを受信し、プレチャージ画素値または補償画素値である駆動値Ｄｖを出力する。次に、ソース・ドライバ１１７０がこれによって駆動電圧Ｖｄを出力し、ＬＣＤを駆動する。
【００７６】
ＬＣＤ駆動装置１１００は画素値Ｄを受信し、フレーム・メモリ１１１０に画素値Ｄをセーブする。次に、計算および拡張ユニット１１３０が画素値Ｄおよびオーバードライブ補償ユニット１１２２からのオーバードライブ補償値に従って補償画素値およびプレチャージ画素値を出力する。プレチャージ画素値および補償画素値はフレーム・メモリ１１１０にセーブされて、後にオーバードライブ補償ユニット１１２２、および計算および拡張ユニット１１３０によって使用され、マルチプレクサ１１６０に出力される。フィールド制御装置１１５０はマルチプレクサ１１６０を制御して、第１の同期信号Ｆｓｙｎｃから得た第２の同期信号に従ってプレチャージ画素値または補償画素値を出力する。
【００７７】
図１５は、本発明の第１０の実施形態によるＬＣＤ駆動装置のブロック図である。駆動装置１２００はフレーム・メモリ１２１０、数学ユニット、およびフィールド制御装置１２５０を含む。数学ユニットは、オーバードライブ補償ユニット１２２０、計算および拡張ユニット１２３０、およびマルチプレクサ１２６０を含む。ＬＣＤ駆動装置１２００は画素値Ｄを受信し、プレチャージ画素値または補償画素値である駆動値Ｄｖを出力する。次に、ソース・ドライバ１２７０がこれによって駆動電圧Ｖｄを出力し、ＬＣＤを駆動する。
【００７８】
ＬＣＤ駆動装置１２００は画素値Ｄを受信し、フレーム・メモリ１２１０に画素値Ｄをセーブする。次に、計算および拡張ユニット１２３０が、画素値Ｄおよびオーバードライブ補償ユニット１２２０からのオーバードライブ補償値に従って補償画素値およびプレチャージ画素値を出力する。フィールド制御装置１２５０はマルチプレクサ１２６０を制御して、第１の同期信号Ｆｓｙｎｃから得た第２の同期信号に従ってプレチャージ画素値または補償画素値を出力する。
【００７９】
図１６（Ａ）は、本発明の第１１の実施形態によるＬＣＤ駆動装置のブロック図である。駆動装置１３００は、フレーム・メモリ１３１０、数学ユニット、およびフィールド制御装置１３５０を含む。数学ユニットは、参照ユニット１３０２およびマルチプレクサ１３６０を含む。ＬＣＤ駆動装置１３００は画素値Ｄを受信し、プレチャージ画素値または補償画素値である駆動値Ｄｖを出力する。次に、ソース・ドライバ１３７０がこれにより駆動電圧Ｖｄを出力し、ＬＣＤを駆動する。画素値Ｄは、後に参照ユニット１３０２が使用するため、フレーム・メモリ１３１０にセーブすることができる。
【００８０】
図１６（Ｂ）は参照ユニットが使用するテーブルを示す。参照ユニット１３０２は、画素値に従ってこのテーブルで対応するプレチャージ画素値および補償値を検索する。画素値が４である場合は、プレチャージ画素値および補償画素値がそれぞれ０および９であると参照され、したがってフレーム周期の明度は、画素値により駆動された場合の明度と等しくなる。ＬＣＤの入力および出力明度は必ずしも直線的でなく、テーブルの内容ｆはＬＣＤの特性に従って調節することができる。
【００８１】
本発明を例示により、および好ましい実施形態について説明してきたが、本発明は開示された実施形態に制限されないことを理解されたい。これに対して、これは様々な変形および同様の配置構成および手順も含むように意図され、それ故添付の特許請求の範囲は、このような変形および同様の配置構成および手順を全て含むように最も広義に解釈されるものとする。
【図面の簡単な説明】
【００８２】
【図１】ＣＲＴディスプレイにおける１つの画素の明度ｌと時間ｔとの関係を示す。
【図２】（Ａ）は、ＬＣＤにおける時間ｔと画素に印加した駆動電圧Ｖｄとの関係を示し、（Ｂ）は、時間ｔと（Ａ）の電圧が供給された画素の明度Ｌとの関係を示す。
【図３】（Ａ）は、液晶分子が最短応答時間を有する状況を示し、（Ｂ）は、液晶分子が中間応答時間を有する状況を示し、（Ｃ）は、液晶分子が最長応答時間を有する状況を示す。
【図４】（Ａ）は、ＬＣＤの駆動方法の第１の実施形態による駆動電圧を示し、（Ｂ）は、（Ａ）の駆動電圧を印加した画素の明度を示す。
【図５】（Ａ）は、補償フィールドがプレチャージ・フィールドの前にある場合の、他のＬＣＤ駆動方法の駆動電圧を示し、（Ｂ）は、（Ａ）の駆動電圧を印加した画素の明度を示す。
【図６】本発明の第２の実施形態によるＬＣＤ駆動装置のブロック図である。
【図７】本発明の第３の実施形態によるＬＣＤ駆動装置のブロック図である。
【図８】本発明の第４の実施形態によるＬＣＤ駆動装置のブロック図である。
【図９】本発明の第５の実施形態によるＬＣＤ駆動装置のブロック図である。
【図１０】本発明の第６の実施形態によるＬＣＤ駆動装置のブロック図である。
【図１１】（Ａ）は、ｎ番目のフレームの上部分で画素値を受信する間の走査プロセスを示し、（Ｂ）は、ｎ番目のフレームの下部分で画素値を受信する間の走査プロセスを示す。
【図１２】本発明の第７の実施形態によるＬＣＤの駆動方法の駆動電圧を示す。
【図１３】本発明の第８の実施形態によるＬＣＤ駆動装置のブロック図である。
【図１４】本発明の第９の実施形態によるＬＣＤ駆動装置のブロック図である。
【図１５】本発明の第１０の実施形態によるＬＣＤ駆動装置のブロック図である。
【図１６（Ａ）】本発明の第１１の実施形態によるＬＣＤ駆動装置のブロック図である。
【図１６（Ｂ）】参照ユニットが使用するテーブルを示す。
【符号の説明】
【００８３】
Ｔ１，Ｔ２，Ｔ３    フレーム周期
Ｐ１，Ｐ２，Ｐ３    プレチャージ・フィールド
Ｃ１，Ｃ２，Ｃ３    補償フィールド
５００，６００，７００，８００，９００，１０００，１１００，１２００，１３００    ＬＣＤ駆動装置
５１０，６１０，７１０，８１０，９１０，１０１０，１１１０，１２１０，１３１０    フレーム・メモリ
５２０，６２０，７２０，８２０，９２０    しきい値ユニット
５３０，６３０，７３０，８３０，９３０，１１３０    計算ユニット
５４０，６４０，７４０，８４０，９４０    拡張ユニット
５５０，６５０，７５０，８５０，９５０，１０５０，１１５０，１２５０，１３５０    フィールド制御装置
５６０，６６０，７６０，８６０，９６０，１０６０，１１６０，１２６０，１３６０    マルチプレクサ
５７０，６７０，７７０，８７０，９７０，１０７０，１１７０，１２７０，１３７０    ソース・ドライバ
１０２０，１１２２，１２２０    オーバードライブ補償ユニット
１０２３    温度センサ
１０３０，１１３０，１２３０    計算および拡張ユニット
１３０２    参照ユニット
【図１】
2004361943.tif 000003
【図２】
2004361943.tif 000004
【図３】
2004361943.tif 000005
【図４】
2004361943.tif 000006
【図５】
2004361943.tif 000007
【図６】
2004361943.tif 000008
【図７】
2004361943.tif 000009
【図８】
2004361943.tif 000010
【図９】
2004361943.tif 000011
【図１０】
2004361943.tif 000012
【図１１】
2004361943.tif 000013
【図１２】
2004361943.tif 000014
【図１３】
2004361943.tif 000015
【図１４】
2004361943.tif 000016
【図１５】
2004361943.tif 000017
【図１６（Ａ）】
2004361943.tif 000018
【図１６（Ｂ）】
2004361943.tif 000019
【外国語明細書】
明細.pdf
請求.pdf
要約.pdf
図面.pdf